(57)【要約】【課題】集塵ケースの視認性が確保できるサイクロン集塵装置を提供すること。【解決手段】電動送風機により吸引した塵埃を含む空気を旋回させ塵埃分離する旋回室１及びこの旋回室１からの塵埃を溜める集塵室２とから構成された集塵ケース３とを備え、集塵ケース３の内面に透明性があるゴム状の弾性シート部材１５、１６を密着させるように構成したものである。これにより、電動送風機が発生させた吸引力により塵埃を含む空気が旋回室１に流入し、旋回による遠心力により塵埃と空気が分離し、分離した塵埃が集塵室２に溜まり、空気のみが集塵ケース３から排気される。その際、塵埃が集塵ケースに衝突し擦るが、弾性シート部材１５、１６が塵埃の衝突による圧力を弾性的に大きく凹ませて分散し復元するので、弾性シート部材１５、１６に傷付きが発生せず、集塵ケース３の視認性が確保できる。【選択図】図２
2013017664.tif 000002
【特許請求の範囲】
【請求項１】
吸引力を発生させる電動送風機と、
前記電動送風機の上流側に設置され前記電動送風機により吸引した塵埃を含む空気を旋回させ塵埃分離する旋回室及び前記旋回室からの塵埃を溜める集塵室とから構成された集塵ケースと、
前記旋回室の外郭周方向には、塵埃を含む空気を吸引するための開口した吸気口と、
前記旋回室を旋回する塵埃を含む空気が前記集塵室へ流入する前記集塵室に開口した流入口とを備え、
前記集塵ケースの内面に透明性がある弾性シート部材を密着させ、前記弾性シート部材の表面を改質により硬化させた電気掃除機。
【請求項２】
弾性シート部材の改質部分は、紫外線を照射して硬化させた請求項１に記載の電気掃除機。
【請求項３】
弾性シート部材の改質部分は、透明性がある軟質ＵＶ樹脂を塗布後、紫外線を照射して硬化させた請求項１に記載の電気掃除機。
【請求項４】
弾性シート部材の改質部分は、透明性がある導電性塗料を塗布後、乾燥させ、さらに透明性がある軟質ＵＶ樹脂を塗布後、紫外線を照射して硬化させた請求項１に記載の電気掃除機。
【請求項５】
弾性シート部材は、吸気口に対向する前記旋回室の外郭内面に配置した請求項１〜４のいずれか１項に記載の電気掃除機。
【請求項６】
弾性シート部材は、流入口に対向する前記集塵室の外郭内面に配置した請求項１から４のいずれか１項に記載の電気掃除機。
【請求項７】
弾性シート部材は、旋回室を外部から視認できる前記旋回室の外郭内面に配置する請求項１から４のいずれか１項に記載の電気掃除機。
【請求項８】
弾性シート部材は、集塵室を外部から視認できる前記集塵室の外郭内面に配置する請求項１から４のいずれか１項に記載の電気掃除機。
【請求項９】
弾性シート部材は、集塵ケース内面に前記弾性シート部材と同等の形状と面積及び厚さに凹ませた位置に設けた請求項１から８のいずれか１項に記載の電気掃除機。
【請求項１０】
弾性シート部材は、集塵ケースと一体成型した請求項１から９のいずれか１項に記載の電気掃除機。
【発明の詳細な説明】
【技術分野】
【０００１】
本発明は、電気掃除機のサイクロン集塵装置に関するものである。
【背景技術】
【０００２】
近年、吸引風の気流に旋回成分を持たせ、遠心力により気流から塵埃を分離除去するタイプの電気掃除機、いわゆるサイクロン型の電気掃除機が注目を浴びている。この種の電気掃除機において、集塵ケースは、旋回気流を発生させる旋回室と、この旋回室とは連通させて区画分離した集塵室を設け、集塵ケースへ流入した塵埃を含む空気を、旋回室で旋回させた後、塵埃を別室となる集塵室へと移動させて塵埃を溜めるという構成のものがある。
【０００３】
この集塵ケースの内面には、集塵ケースを形成する基材より、硬度の高い透明の材料で膜厚数μｍのコーティングをしている（特許文献１、および特許文献２参照）。
【０００４】
このようなサイクロン型の電気掃除機にあっては、塵埃の遠心分離効果により、集塵ケース内にごみが満杯近くになるまで吸込風量が大きく下がらず、継続して使用できる。
このため集塵ケースを透明にし、集塵ケース内に蓄積される塵埃量を掃除機の使用者がいつでも視認できるようにし、使用者の目視確認で塵埃の廃棄時期を判断してもらって塵埃廃棄を行なっている。そこで集塵ケースの基材には、透明のアクリロニトリル・ブタジエン・スチレン（以降ＡＢＳと称す）、ポリカーボネイト（以降ＰＣと記す）、アクリルが一般的に用いられている。
【先行技術文献】
【特許文献】
【０００５】
【特許文献１】特開２００３−２１９９９３号公報
【特許文献２】特開２００４−６５６９８号公報
【発明の概要】
【発明が解決しようとする課題】
【０００６】
しかしながら、特許文献１および２の集塵ケースは、砂などの硬い塵埃の吸引を繰り返すと傷付きが発生し集塵ケースの視認性が著しく悪化するという課題があった。硬い塵埃が集塵ケースの内表面に衝突し擦った場合、硬い塵埃の圧力により集塵ケースの基材表面が局所的に変形する。そして、コーティングの膜厚が非常に薄いので、先の集塵ケースの局所的な変形によりコーティングの膜が非常に硬くても、クレーターのように傷付き破壊される。
【０００７】
さらに、塵埃が集塵ケースの内表面に衝突し擦るので、集塵ケースには静電気を帯電して集塵ケースの内表面に軽いごみや粉体状のごみが静電付着し、集塵ケースの視認性が著しく悪化するという課題があった。
【０００８】
本発明は、上記従来の課題を解決するもので、サイクロン集塵装置において、砂などの硬い塵埃の吸引を繰り返しても、傷付きが発生せず、かつごみの静電付着を防止して視認性が確保できる集塵ケースを備えたサイクロン集塵装置を備えた電気掃除機を提供する。
【課題を解決するための手段】
【０００９】
上記目的を達成するために本発明の吸引力を発生させる電動送風機と、前記電動送風機の上流側に設置され前記電動送風機により吸引した塵埃を含む空気を旋回させ塵埃分離す
る旋回室及び前記旋回室からの塵埃を溜める集塵室とから構成された集塵ケースと、前記旋回室の外郭周方向には、塵埃を含む空気を吸引するための開口した吸気口と、前記旋回室を旋回する塵埃を含む空気が前記集塵室へ流入する前記集塵室に開口した流入口とを備え、前記集塵ケースの内面に透明性がある弾性シート部材を密着させ、前記弾性シート部材の表面は、改質により硬化させたものである。
【００１０】
このような発明によって、電動送風機が発生させた吸引力により塵埃を含む空気が旋回室に流入し、旋回による遠心力により塵埃が集塵室に溜まり、空気のみが集塵ケースから排気される。その際、砂などの硬い塵埃が集塵ケースに衝突し擦るが、弾性シート部材が塵埃の衝突による圧力を弾性的に大きく凹ませて分散し、直ちに復元する。続いて、塵埃が弾性シート部材の改質部分を擦っても、弾性シート部材の表面は削られない。これらの結果、弾性シート部材に傷付きが発生しないので、集塵ケースの視認性が確保できる。
【発明の効果】
【００１１】
本発明の電気掃除機は、砂などの硬い塵埃の吸引を繰り返しても、集塵ケースに傷付きが発生せず、集塵ケースの視認性が確保できる。
【図面の簡単な説明】
【００１２】
【図１】本発明の実施の形態１におけるサイクロン集塵装置の斜視図
【図２】同、サイクロン集塵装置の部分断面図
【図３】同、サイクロン集塵装置の図２におけるＡ−Ａ平面断面図
【図４】同、サイクロン集塵装置の図２におけるＢ−Ｂ平面断面図
【図５】同、サイクロン集塵装置の旋回経路の部分断面斜視図
【図６】同、サイクロン集塵装置の弾性シート部材の拡大断面図
【図７】実施の形態２におけるサイクロン集塵装置の弾性シート部材の拡大断面図
【図８】実施の形態３におけるサイクロン集塵装置の弾性シート部材の拡大断面図
【発明を実施するための形態】
【００１３】
第１の発明は、吸引力を発生させる電動送風機と、前記電動送風機の上流側に設置され前記電動送風機により吸引した塵埃を含む空気を旋回させ塵埃分離する旋回室及び前記旋回室からの塵埃を溜める集塵室とから構成された集塵ケースと、前記旋回室の外郭周方向には、塵埃を含む空気を吸引するための開口した吸気口と、前記旋回室を旋回する塵埃を含む空気が前記集塵室へ流入する前記集塵室に開口した流入口とを備え、前記集塵ケースの内面に透明性がある弾性シート部材を密着させ、前記弾性シート部材の表面は、改質により硬化させたものである。
【００１４】
このような発明によって、電動送風機が発生させた吸引力により塵埃を含む空気が旋回室に流入し、旋回による遠心力により塵埃と空気が分離し、分離した塵埃が集塵室に溜まり、空気のみが集塵ケースから排気される。その際、砂などの硬い塵埃が集塵ケースに衝突し擦るが、弾性シート部材が塵埃の衝突による圧力を弾性的に大きく凹ませて分散し、直ちに復元する。また、この塵埃が弾性シート部材の改質部分を擦っても、硬化した弾性シート部材の表面は削られない。これらの結果、弾性シート部材に傷付きが発生しない。他方、弾性シート部材の改質部分では、水分の吸収性が抑制できるので、粉のような細塵が弾性シート部材の表面に付着することを防止できる。以上のことから、集塵ケースの視認性が確保できる。
【００１５】
第２の発明は、特に、第１の発明の弾性シート部材の改質部分は、紫外線を照射して硬化させたものであり、これにより、砂などの硬い塵埃が弾性シート部材を衝突し擦っても、弾性シート部材の表面が削られない。他方、水分の吸収性が抑制できるので、粉のような細塵が弾性シート部材の表面に付着することを防止できる。
【００１６】
第３の発明は、特に、第１の発明の弾性シート部材の改質部分は、透明性がある軟質ＵＶ樹脂を塗布後、紫外線を照射して硬化させたものであり、これにより、砂などの硬い塵埃が弾性シート部材に衝突し擦っても、弾性シート部材の表面が削られない。他方、水分の吸収性が抑制できるので、粉のような細塵が弾性シート部材の表面に付着することを防止できる。さらに、集塵室に溜まったごみ捨て時に誤って弾性シート部材に力（例えば、指や刷毛などが当る）が加わっても、弾性シート部材の傷付きが防止できる。
【００１７】
第４の発明は、特に、第１の発明の弾性シート部材の改質部分は、透明性がある導電性塗料を塗布後、乾燥させ、さらに透明性がある軟質ＵＶ樹脂を塗布後、紫外線を照射して硬化させたものであり、これにより、塵埃が弾性シート部材を擦る際に発生する静電気を導電性塗料の導電性により外部へ逃がして集塵ケースの静電気の帯電を低減し、集塵ケース内面への軽いごみや粉体状のごみの静電付着を低減できる。この結果、集塵ケースの視認性が確保できる。
【００１８】
第５の発明は、特に、第１の発明の弾性シート部材は、吸気口に対向する前記旋回室の外郭内面に配置するものである。そして、電動送風機が発生させた吸引力により塵埃を含む空気が吸気口から旋回室に噴出するので、塵埃が吸気口に対向する旋回室の内面への衝突頻度が高く、塵埃の衝突による圧力が最も大きい。吸気口に対向する旋回室の内面に配置した弾性シート部材が集塵ケースの視認性を確保する。言い換えると、弾性シート部材を効果的に使え、その分コスト削減ができる。
【００１９】
第６の発明は、特に、第１の発明の弾性シート部材は、流入口に対向する前記集塵室の外郭内面に配置するものである。そして、旋回室の遠心力により外側に偏った塵埃を含む空気が流入口から集塵室に噴出するので、塵埃が流入口に対向する集塵室の内面への衝突頻度が高く、塵埃の衝突による圧力が大きい。流入口に対向する集塵室の内面に配置した弾性シート部材が集塵ケースの視認性を確保する。言い換えると、弾性シート部材を効果的に使え、その分コスト削減ができる。
【００２０】
第７の発明は、特に、第１の発明の弾性シート部材は、旋回室を外部から視認できる前記旋回室の外郭内面に配置するものであり、これにより、旋回室の視認性が必要な場所に弾性シート部材を配置している。言い換えると、弾性シート部材を効果的に使え、その分コスト削減ができる。
【００２１】
第８の発明は、特に、第１の発明の弾性シート部材は、集塵室を外部から視認できる前記集塵室の外郭内面に配置するものであり、これにより、集塵室の視認性が必要な場所に弾性シート部材を配置している。言い換えると、弾性シート部材を効果的に使え、その分コスト削減ができる。
【００２２】
第９の発明は、特に、第１の発明の弾性シート部材は、集塵ケース内面に前記弾性シート部材と同等の形状と面積及び厚さに凹ませた位置に設けたものであり、これにより、弾性シート部材が集塵ケース内部に露出しない、すなわち、弾性シート部材が集塵ケースの外郭に埋没しているので、塵埃が弾性シート部材の端部に衝突して弾性シート部材と集塵ケースとの間隙に進入することはない。この結果、弾性シート部材が集塵ケースからの剥がれ防止が図れる。
【００２３】
第１０の発明は、特に、第１の発明の弾性シート部材は、集塵ケースと一体成型するものであり、これにより、集塵ケースの内面に弾性シート部材を密着させる工程が省け、かつ集塵ケースと弾性シート部材との接合部との間隙を最小にできるので、髪の毛などの引っかかりによるごみ詰まりが防止できる。
【００２４】
（実施の形態１）
図１〜図６を用いて、本発明の実施の形態１におけるサイクロン集塵装置について説明する。
図１は本発明の実施の形態１を示すサイクロン集塵装置の略後方から見た外観斜視図、図２はその部分側面断面図、図３は、図２における同サイクロン集塵装置のＡ−Ａ断面図、図４は、図２における同サイクロン集塵装置のＢ−Ｂ断面図、図５は同サイクロン集塵装置の略前方から見た要部断面の斜視図、図６は弾性シート部材の要部拡大断面図を示すものである。
【００２５】
図１〜図６において、サイクロン集塵装置は、塵埃を含む空気を取り入れ旋回気流を発生させる旋回室１、および塵埃を溜める集塵室２から成る集塵ケース３と、第２の塵埃分離手段（以下で説明するプリーツ状の不織布フィルター８）を内蔵し、集塵ケース３の上方に配して集塵ケース３と電動送風機（図示せず）を内蔵した掃除機本体（図示せず）とを連結する第２集塵ケース４とで構成している。なお、掃除機本体は集塵室２に隣接するような位置にある。
【００２６】
また、旋回室１は、略円筒形状の外郭内周面に対して接線方向となるように取り付けた吸引通路５Ａを有する吸気口５と、略中心には第２集塵ケース４に連通する略円筒状の排気筒６を配している。
【００２７】
この排気筒６の外周側面にはメッシュフィルターやエッチングフィルター等の濾過フィルターによる通気部７を構成しており、粗塵が第２集塵ケース４側へ通り抜けないようにしている。加えて、第２集塵ケース４内には、第２の塵埃分離手段としてプリーツ状の不織布フィルター８を配置している。
【００２８】
次に、集塵室２は、図３、４に示すように、旋回室１の内径とほぼ同等、もしくは幾分小さい内径とした略円筒形状の筒体であり、旋回室１の下方にそれぞれの中心軸を水平方向に平行にズラした位置で配置させており、かつ、高さ方向において、集塵室２の上端の一部を旋回室１の内部に入り込むように構成としている。
【００２９】
つまり、旋回室１と集塵室２とが重なり合う部分には、略円筒形状となる隔壁９を設けている。この隔壁９には、旋回室１で旋回する気流が集塵室２へと流れ込む流入口１０と集塵室２から旋回室１へと戻る気流の流出口１１とが開口している。また、流出口１１には、格子の開口間口の大きさを１〜２ｍｍ画の範囲で設定した通気格子１２を形成している。集塵室２の底部分は開口しており、回動自在に軸支した底蓋１３でエアタイト性を確保しながら塞ぐ構成としている。また、集塵室２内には、集塵室２内を上下に移動し、バネにより圧縮する平板状の圧縮装置１４を設けている。
【００３０】
さらに、吸気口５に対向する旋回室１の内面には、厚さ５０μｍ〜０．５ｍｍ程度の弾性シート部材１５（例えば、透明シリコーンゲル、透明シリコーンゴム、透明ウレタンゴムなど）が接着剤１５Ａで貼り付けられている。同様に流入口１０に対向する集塵室２の内面に弾性シート部材１６を接着剤１６Ａで貼り付けられている。
【００３１】
以上のように構成されたサイクロン集塵装置において、塵埃を吸引する動作を説明する。
【００３２】
旋回室１の吸気口５、排気筒６の通気部７、および旋回室１と集塵室２とが連通する流入口１０と流出口１１とは、図２に示すように、上から順に高さ位置をズラした配置としており、これにより、吸気口５より流入した塵埃を含む空気は、吸気口５より斜め下方に
旋回室１を旋回しながら流入口１０へと進入し、そのまま延長して、集塵室２内を斜め下方に旋回しながら集塵室２の底位置まで流れていく。そして、重みのある粗塵は、集塵室２の底部分でそのまま旋回し続け、粗塵を分離した気流は旋回しながら上昇し、この上昇気流に乗ったリント等の細かい埃は、流出口１１の通気格子１２に引っ掛かり、さらに塵埃分離した状態の空気が、通気格子１２を通り抜けて旋回室１へと戻り、旋回室１を旋回しながら、排気筒６の通気部７を抜けて第２集塵ケース４へと流れていく。
【００３３】
ここで、集塵室２内では、粗塵がその重みにより底位置で旋回し続けると、絡まり合いながら毛玉のようになり、そこに細塵も一緒に絡まり合うため、それによっても塵埃と空気とが分離される。次に、集塵室２内を流出口１１に向かって旋回上昇する気流には、幾分、リント等の細かい塵埃が乗っているが、リントは通気格子１２で引っ掛かり、それが堆積するとリントがフィルターの役目をするようになり、旋回室１側への細塵の通過をより抑えることができるようになる。
【００３４】
つまり、リントが堆積すると不織布フィルターに似た状態になるためである。従来のサイクロン構成では、旋回室１と集塵室２とを同軸上に配置させることが一般的であるが、旋回室１と集塵室２とを平行にズラした状態としても、旋回室１と集塵室２とが上下となる配置、つまり、斜め上下方向の位置関係とし、かつ、旋回室１と集塵室２との間で、楕円軌道を描くように気流の入口と出口を設けることで、一般的なサイクロンの気流と類似した遠心旋回気流を形成することができるようになる。
【００３５】
また、集塵室２の流出口１１からリント等の細塵を含んだ状態で空気が抜けた場合においても、流入口１０へと流れる気流と衝突することで、また、塵埃のみが集塵室２へと誘引される作用も働く。その後、排気筒６を通過した空気は、第２集塵ケース４へと流れる。排気筒６から抜けてきた微小な細塵を不織布フィルター８にて濾過し、きれいになった空気のみが不織布フィルター８を通過して、電動送風機へと導かれていく。そして、掃除が終われば、圧縮装置１４を降ろして集塵室２に溜まった塵埃を圧縮してコンパクトにする。さらに、底蓋１３を開放して、固まった塵埃を廃棄してもらう。
【００３６】
以上の動作の中で形成された遠心旋回気流により、塵埃が旋回室１や集塵室２の内面に何度も衝突し擦るが、弾性シート部材１５、１６が塵埃の衝突による圧力を弾性的に大きく凹ませて分散し、直ちに復元するので、弾性シート部材１５、１６に傷付きが発生せず、弾性シート部材１５、１６を通して集塵ケース３の視認性が確保できる。なお、弾性シート部材１５、１６が設けられていない集塵ケース３は傷付きが発生し、集塵ケース３の内面が白っぽくなり透明性が無くなり視認性が悪化する。
【００３７】
特に、電動送風機が発生させた吸引力により塵埃を含む空気が吸気口５から旋回室１に噴出する際、略円筒形状の外郭内周面に対して接線方向となるように取り付けた吸引通路５Ａの整流作用により、塵埃を含む空気が吸気口５に対向する旋回室１の内面に集中して衝突し擦る。この結果、塵埃が吸気口５に対向する旋回室１の内面への衝突頻度が高く、塵埃の衝突による圧力が最も大きくなる。しかし、吸気口５に対向する旋回室１の内面に貼り付けた弾性シート部材１５が塵埃の衝突による圧力を弾性的に大きく凹ませて分散し、直ちに復元するので、弾性シート部材１５に傷が付かない。
【００３８】
続いて、旋回室１の遠心力により外側に偏った塵埃を含む空気が流入口１０から集塵室２に噴出する際、流入口１０に対向する集塵室２の内面に比較的集中して衝突し擦る。先ほどと同様に流入口１０に対向する集塵室２の内面に貼り付けた弾性シート部材１６が塵埃の衝突による圧力を弾性的に大きく凹ませて分散し、直ちに復元するので、弾性シート部材１６に傷が付かない。
【００３９】
これらの吸気口５と流入口１０に対向するこの位置に配置した弾性シート部材１５、１６により集塵ケース３の視認性が確保できる。言い換えると、弾性シート部材１５、１６を効果的に使え、その分コスト削減ができる。
【００４０】
なお、弾性シート部材１５、１６は、旋回室１や集塵室２を外部から視認できる旋回室１や集塵室２の外郭内面に配置すればよく、言い換えると集塵ケース３の内部が見えない場所に、弾性シート部材１５、１６を設ける必要はない。例えば、電気掃除機の使用者に前から集塵ケース３を視認させる場合、集塵ケース３（旋回室１）の中心から−１２０°〜１２０°の範囲に、弾性シート部材１５を設ける必要がある。また、電気掃除機の使用者に横からから集塵ケース３を視認させる場合、集塵ケース３（集塵室２）の中心から――１５０°〜−６０°、６０°〜１５０°の二つ範囲に、弾性シート部材１６を設ける必要がある。
【００４１】
以上、このような構成によって、弾性シート部材１５、１６が塵埃の衝突による圧力を弾性的に大きく凹ませて分散するので、弾性シート部材１５、１６に傷付きが発生せず、弾性シート部材１５、１６を通して集塵ケース３の視認性が確保できる。さらには、吸気口５と流入口１０に対向する、衝突頻度が高いこの位置に弾性シート部材１５、１６を配置したので、弾性シート部材１５、１６を効果的に使え、その分コスト削減ができる。
【００４２】
（実施の形態２）
本発明の実施の形態２におけるサイクロン集塵装置について説明する。以下、実施の形態１と同一部分については同一符号を付してその説明を省略する。実施の形態１と異なるところは、弾性シート部材１５、１６の改質部分１５Ｂ、１６Ｂは事前に紫外線を照射して硬化処理をしている点である。
【００４３】
砂などの硬い塵埃が弾性シート部材１５、１６に衝突し、ヤスリのように擦った場合でも、改質部分１５Ｂ、１６Ｂは事前に紫外線を照射して硬化処理をしているので、弾性シート部材１５、１６は削られず、傷付かない。さらに、改質部分１５Ｂ、１６Ｂは硬化処理により水分の吸収性が抑制されるので、弾性シート部材１５、１６は乾いており、粉のような細塵が弾性シート部材１５、１６の表面に付着することを防止できる。これらの結果、集塵ケースの視認性が確保できる。
【００４４】
（実施の形態３）
図７を用いて、本発明の実施の形態３におけるサイクロン集塵装置について説明する。図７は本発明の実施の形態３を示す弾性シート部材の要部拡大断面図である（符号中の括弧は集塵室２の場合を示す）。
【００４５】
以下、実施の形態１と同一部分については同一符号を付してその説明を省略する。実施の形態１と異なるところは、略三角（または略菱形）形状や涙（略楕円）形状の弾性シート部材１７を旋回室１に弾性シート部材１７の面積（形状）、厚さと同等の凹み１Ａに接着剤１７Ａで貼り付け、同様に弾性シート部材１８を集塵室２に略三角（または略菱形）形状や涙（略楕円）形状の弾性シート部材１８の面積（形状）、厚さと同等の凹２Ａに接着剤１８Ａで貼り付け、続いて弾性シート部材表面の改質部分１７Ｂ、１８Ｂに透明性があり、かつ追従性のよい液状の軟質ＵＶ樹脂１９を塗布し紫外線により硬化させる（コーティングする）という点である。
【００４６】
弾性シート部材１７の端部が旋回室１内に、また弾性シート部材１８の端部が集塵室２内に突出していない。他方、弾性シート部材１７、１８と凹み１Ａ、２Ａに貼り付けた後に、それぞれ軟質ＵＶ樹脂１９をコーティングする際、弾性シート部材１７の端部と旋回室１との間隙、弾性シート部材１８の端部と集塵室２との間隙が軟質ＵＶ樹脂１９により
埋められる。
【００４７】
これらの結果、塵埃が弾性シート部材１７、１８の端部に衝突して接着剤１７Ａと旋回室１、接着剤１８Ａと集塵室２との間隙に進入することが防止できる。言い換えると、弾性シート部材１７、１８が集塵ケース３から剥がれるのを防止できる。
【００４８】
また、例えば、砂などの硬い塵埃が弾性シート部材１７、１８に衝突し、ヤスリのように擦った場合でも、軟質ＵＶ樹脂１９に保護されている改質部分１７Ｂ、１８Ｂは削られず、傷付かない。さらに、軟質ＵＶ樹脂１９により水分の吸収性が抑制されるので、改質部分１７Ｂ、１８Ｂは乾いている。この結果、粉のような細塵が弾性シート部材１７、１８の表面に付着することを防止できる。
【００４９】
また、遠心旋回気流により、吸気口５や流入口１０からの噴出により塵埃が旋回室１や集塵室２の内面に衝突し擦るが、その範囲は衝突による拡散と気流により略三角（または略菱形）形状や涙（略楕円）形状になる。このように、衝突し擦る範囲に合せた形状に弾性シート部材１７、１８を整形したので、弾性シート部材１７、１８を効果的に使え、その分コスト削減ができる。
【００５０】
（実施の形態４）
図８を用いて、本発明の実施の形態４におけるサイクロン集塵装置について説明する。図８は本発明の実施の形態４を示す弾性シート部材の要部拡大断面図である（符号中の括弧は集塵室２の場合を示す）。
【００５１】
以下、実施の形態１と同一部分については同一符号を付してその説明を省略する。実施の形態１と異なるところは、弾性シート部材２０を旋回室１の金型（図示しない）に挿入（装着）し、次に基材である樹脂（ＡＢＳ、ＰＣまたはアクリル）を注入し、同様に弾性シート部材２１を集塵室２の金型（図示しない）に挿入（装着）し、次に基材である樹脂（ＡＢＳ、ＰＣまたはアクリル）を注入して一体化射出成型する。続いて、弾性シート部材の表面２０Ａ、２１Ａに透明性がある導電性塗装２２（例えば、紫外線硬化型導電性塗料）を塗布後、乾燥する（コーティングする）という点である。
【００５２】
これにより、旋回室１、集塵室２の内面に弾性シート部材２０、２１を接着により密着させる工程が省け、かつ旋回室１の内面に弾性シート部材２０、集塵室２の内面に弾性シート部材２１との各接合部との間隙を最小にできるので、髪の毛などの引っかかりによるごみ詰まりが防止できる。言い換えると、集塵ケース３と弾性シート部材２０、２１とを一体成型するので、工数削減、接着剤不要という効果がある。
【００５３】
他方、塵埃と弾性シート部材２０、２１との擦れにより発生する静電気を導電性がある導電性塗装２２により外部へ逃がして集塵ケース３の静電気の帯電を低減し、集塵ケース３内面への塵埃付着を低減できる。すなわち、集塵ケース３の視認性が確保できる。
【００５４】
なお、実施の形態１〜４において、流出口１１を開口し、通気格子１２を設けているが、主に遠心力の作用を受けた塵埃が慣性力で流入口１０から集塵室２へ流入するのであれば、流出口１１と通気格子１２は不要である。この場合、流入口１０から集塵室２へ流入する空気は激減する。
【産業上の利用可能性】
【００５５】
以上のように、本発明にかかるサイクロン集塵装置は、集塵ケースの内面に弾性シート部材を設けたので、弾性シート部材が塵埃の衝突による圧力を弾性的に大きく凹ませて分散するので、弾性シート部材に傷付きが発生せず、弾性シート部材を通して集塵ケースの
視認性が確保でき、さらに弾性シート部材の表面に紫外線硬化、透明性がある軟質ＵＶ樹脂のコーティング及び導電性塗料の塗布、乾燥により、砂などの硬い塵埃の吸引を繰り返しても、弾性シート部材に傷付きが発生しない。
【符号の説明】
【００５６】
１  旋回室
２  集塵室
３  集塵ケース
４  第２集塵ケース
５  吸気口
１０  流入口
１５、１６、１７、１８、２０、２１  弾性シート部材
１９  軟質ＵＶ樹脂
２２  導電性塗装
【図１】
2013017664.tif 000003
【図２】
2013017664.tif 000004
【図３】
2013017664.tif 000005
【図４】
2013017664.tif 000006
【図５】
2013017664.tif 000007
【図６】
2013017664.tif 000008
【図７】
2013017664.tif 000009
【図８】
2013017664.tif 000010